(57)【要約】【課題】　出入口に間仕切り扉を設ける場合、一定の廊下巾で比較して、扉以外の両袖あるいは、上部ガラス部分を含む３方面の巾が枠を見せなくする事で無駄なく大きいガラス巾面が得られる。更にレバーハンドル錠や施錠出来るシリンダー錠やサムターンを扉に取付けて、縦枠に取付け出来るようにする。その縦枠もガラス巾面を圧縮しないように、細くして更に縦枠の存在を感じさせないようにする。【解決手段】　本考案により、扉を囲む両側あるいは、上部を含む３方面がガラスで構成され、ガラス壁板と床、壁、天井とは細い固定金属ガイドとの連結によりほとんど見えず、戸枠は１本の細い受縦枠を設け施錠出来るように受け座を設け、扉には吊り元側に受縦枠の同じ巾で彫り込みを入れ、縦枠と扉が一体化して見えガラス面に独立しているように見える。これらの方法で扉の向こう側の視界が画期的に広がり安全性及び意匠性が向上する。【選択図】　　図１
0003100518.tif 000002
【実用新案登録請求の範囲】
【請求項１】
　建具の左右の壁部あるいは、天井までの幕板部を加えた３方面をガラス板で構築する。
【請求項２】
　ガラス壁面の扉の戸先側に受縦枠を設け、錠前の受け座を取付けて、レバーハンドル及びノブ錠のシリンダー錠やサムターンによる施錠が可能になる。扉の吊り元側に受け縦枠と同じ巾で彫り込みを入れて、扉と縦枠が一体化してガラス面に独立しているように見せる構造。
【考案の詳細な説明】
【考案の詳細な説明】
【技術分野】
【０００１】　本考案は、住宅内部の居間出入口等の間仕切り部に設置される両袖あるいは上部壁を加えた３方面の間仕切り扉と扉枠及びガラス壁面。
【背景技術】
【０００２】　住宅内部の出入口等の間仕切り部で扉及び扉枠の袖部や上部には、それぞれに小壁や幕板を設けるか、木製の固定枠にて方袖又は両袖部または上部に設けガラス板を嵌め込む方法である。固定枠の存在によりガラス面が圧迫され視界が狭くなっている。
【考案が解決しようとする課題】
【０００３】　出入口に間仕切り扉を設ける場合、一定の廊下巾で比較して、扉以外の袖及び上部ガラス部分を含む３方面の巾が枠を見せなくする事で無駄なく大きいガラス巾面が得られる。更にレバーハンドル錠や施錠出来るシリンダー錠やサムターンを扉に取付けて、縦枠に取付け出来るようにする。その縦枠もガラス巾面を圧縮しないように、細くして更に縦枠の存在を感じさせないようにする。
【課題を解決するための手段】
【０００４】　本考案により、扉を囲む両側あるいは、上部を含む３方面がガラスで構成され、ガラス壁板と床、壁、天井とは細い固定金属ガイドとの連結によりほとんど見えず、戸枠は１本の細い受縦枠を設け施錠出来るように受け座を設け、扉には吊り元側に受縦枠の同じ巾で彫り込みを入れ、縦枠と扉が一体化して見えガラス面に独立しているように見える。これらの方法で扉の向こう側の視界が画期的に広がり安全性及び意匠性が向上する。
【考案を実施するための最良の形態】
【０００５】　本考案により、扉を囲む両側あるいは、上部を含む３方面がガラスで構成され、戸枠は１本の受縦枠のみの設置を行い木製扉を吊り込む方法によりのみの設置を行い木製扉を吊り込む方法により、扉の向こう側の視界が従来の方法より画期的に広がり安全性の向上を計る。扉もガラス製のテンパライトドアが有るが、受縦枠を設けることによりレバーハンドルやノブ錠によるシリンダーやサムターンでの施錠が出来事や。扉の縦框と受縦枠を一体に見えるように考案してあり、扉を閉じた状態では枠の存在を意識させない構造である為、廊下に扉が独立している様に見える。テンパライトドアでは、ハンドル錠取付けは出来ず、施錠は上下の框にしか出来ない。又扉が独立したようには見えない。
【実施例】
【０００６】　以下、添付図面に従って実施例を説明する。木製扉１を設置しようとする、周辺部に溝を設けそれぞれ、壁部１６には固定用横アルミガイド１３、天井部１８には固定用上アルミガイド１５、床部１９には固定用床アルミガイド１６をはめ込みビスで固定する。袖欄間ガラス１０及び上欄間ガラス１４をそれぞれのアルミガイドに差込、シールにて固定する。扉吊り込むためのピポットヒンジ上部用９を袖欄間ガラスと上欄間ガラスのコーナー部に取り付け袖及び上のガラスを連結する、反対側のコーナー部には連結金具８を取付け同じく袖及び上ガラスを連結する、床部にフロアーヒンジ１２を取り付ける。戸先側の袖欄間ガラス１０に受縦枠５を差込、シールにて取付け固定する、受縦枠には施錠用の受座金具３を取付けて置き扉のレバーハンドル錠２のラッチ受けやサムターン４での施錠を可能とする。木製扉には、受縦枠と扉との生じた隙間６と同じ巾の溝を吊り元側に溝を彫り込む７、この彫り込み溝と隙間が扉の両端近くに同間隔で設けることにより、ガラス壁面にシンメトリーに扉と枠が一体化して見え、受縦枠の存在を感じさせず、ガラス壁面に独立して見える。
【考案の効果】
【図面の簡単な説明】
【図１】間仕切り扉とガラス壁面を示した平面図である。
【図２】間仕切り扉とガラス壁面を示した断面図である
【符号の説明】
　　　１　木製扉　　　２　レバーハンドル錠　　　３　受縦枠の受座金具　　　４　サムターン　　　５　受縦枠　　　６　扉と受縦枠との隙間　　　７　扉の彫り込み溝　　　８　連結金具　　　９　ピポットヒンジ上部用　　１０　袖欄間ガラス　　１１　固定用床アルミガイド　　１２　フロアーヒンジ　　１３　固定用横アルミガイド　　１４　上欄間ガラス　　１５　固定用上アルミガイド　　１６　壁部　　１７　天井部　　１８　床部
【図１】
0003100518.tif 000003
【図２】
0003100518.tif 000004
【手続補正書】
【提出日】平成15年10月21日(2003.10.21)
【手続補正１】
【補正対象書類名】実用新案登録請求の範囲
【補正対象項目名】全文
【補正方法】変更
【補正の内容】
【実用新案登録請求の範囲】
【請求項１】
扉の左右の壁部及び、扉の上部から天井までの幕板部をガラス板で構築してなるガラス壁面への扉取り付け構造。
【請求項２】
ガラス壁面の扉の戸先側に受け縦枠を設け、錠前の受座を取り付けて、レバーハンドル及びノブのシリンダー錠やサムターンによる施錠が可能になる受縦枠と、扉の吊り元側に受縦枠と同じ幅で彫り込み溝を入れて、受縦枠と扉が一体化してガラス面に独立しているように見える扉と受縦枠のガラス壁面への扉取り付け構造。
【手続補正２】
【補正対象書類名】明細書
【補正対象項目名】全文
【補正方法】変更
【補正の内容】
【考案の詳細な説明】
【技術分野】
【０００１】　本考案は、住宅内部の居間出入口等の間仕切り部に設置されるガラス両袖及び扉から天井部までのガラス幕板の戸枠と扉。
【背景技術】
【０００２】　住宅内部の出入口等の間仕切り部で扉及び扉枠の袖部や上部には、それぞれに小壁や幕板を設けるか、木製の固定枠にて方袖又は両袖部または上部に設けガラス板を嵌め込む方法である。固定枠の存在によりガラス面が圧迫され視界が狭くなっている。
【考案が解決しようとする課題】
【０００３】　出入口に間仕切り扉を設ける場合、一定の廊下幅で比較して、扉以外の袖及び上部ガラス部分を含む３方面の幅が枠を見せなくする事で無駄なく大きいガラス面が得られる。更にレバーハンドル錠や施錠出来るシリンダー錠やサムターンを扉に取付けて、縦枠に取付け出来るようにする。その縦枠もガラス面を圧縮しないように、細くして更に縦枠の存在を感じさせないようにする。
【課題を解決するための手段】
【０００４】　本考案により、扉を囲む両側あるいは、上部を含む３方面がガラスで構成され、ガラス壁板と床、壁、天井とは細い固定金属ガイドとの連結によりほとんど見えず、戸枠は１本の細い受縦枠を設け施錠出来るように受け座を設け、扉には吊り元側に受縦枠の同じ巾で彫り込みを入れ、縦枠と扉が一体化して見えガラス面に独立しているように見える。これらの方法で扉の向こう側の視界が画期的に広がり安全性及び意匠性が向上する。
【考案を実施する為の最良の形態】
【０００５】　本考案により、扉を囲む両側あるいは、上部を含む３方面がガラスで構成され、戸枠は１本の受縦枠のみ設置して、ピポットヒンジで木製扉を吊り込むことにより、扉の向こう側の視界が従来の方法より画期的に広がり安全性の向上を計る。扉もガラス製のテンパライトドアが有るが、受縦枠を設けることによりレバーハンドルやノブ錠によるシリンダーやサムターンでの施錠が出来る。扉の縦框と受縦枠を一体に見えるように考案してあり、扉を閉じた状態では枠の存在を意識させない構造である為、廊下に扉が独立している様に見える。従来のテンパライトドアでは、レバーハンドル錠の取付けは出来ず、施錠は上下の框にしか出来ない。
【実施例】
【０００６】　以下、添付図に従って実用例を説明する。通路１の左壁及び通路２の右壁に左側のガラス板３と右側のガラス板４及び５の天井までの幕板部のガラス板６を左右の壁及び天井部に７の溝金具にそれぞれ差込んで取り付けて左右及び上部のガラス壁とする。左のガラス板３と幕板部のガラス板６に８のピポットヒンジを固定し更に床にフロアーヒンジ９を設置して、１０の扉を吊り込む。右側のガラス板４と幕板部のガラス板６に固定金具１１を取り付けてから右側のガラス板４に受縦枠を取り付ける事により、扉に設置したハンドル錠１３やサ厶ターン１４の受座１５を受縦枠１２に取り付けることにより施錠出来ることになる。扉の吊り元側に扉と受縦枠の隙間１６と同じ幅で彫り込み溝１７を入れる、この彫り込み溝と隙間が扉の両端近くに同間隔で設けることにより、ガラス壁面に受縦枠と扉を中心部に設けることにより左右対称の扉と枠が一体化して見える又受縦枠の存在を感じさせず、通路に独立して立っているように見える。
【図面の簡単な説明】
【０００７】
【図１】間仕切り扉とガラス壁面を示した平面図である。
【図２】間仕切り扉とガラス壁面を示した断面図である。
【符号の説明】
　１　通路の左壁
　２　通路の右壁
　３　左側のガラス板
　４　右側のガラス板
　５　天井
　６　幕板部のガラス板
　７　溝金具
　８　ピポットヒンジ
　９　フロ
　１０アーヒンジ
　１１扉
　１２固定金具
　１３受縦枠
　１４ハンドル錠
　１５サムターン
　１６受座
　１６扉と受縦枠との隙間
　１７掘り込み溝
【手続補正３】
【補正対象書類名】図面
【補正対象項目名】全図
【補正方法】変更
【補正の内容】
【図１】
0003100518.tif 000005
【図２】
0003100518.tif 000006